(57)【特許請求の範囲】
【請求項１】
ホースを介して燃料供給系統に連通されたノズルと、該ノズルを収納するノズル収納部とを有する燃料供給装置において、
前記燃料供給系統に配された各部品の使用量に応じた情報を記憶する記憶部と、
前記ノズルが前記ノズル収納部から外され、燃料供給を行なわずに前記ノズル収納部に戻されると、前記記憶部に記憶された情報を読み込み、当該部品の情報に基づき当該部品が交換直前時期、または交換時期が到来しているか否かを報知する制御手段と、
を有することを特徴とする燃料供給装置。
【請求項２】
前記制御手段は、
前記ノズルを前記ノズル収納部から外して戻す操作を行なった場合に、前記記憶手段より当該ノズルに対応する燃料供給系統に配された各部品の使用量に応じた情報を読み込む読み込み手段と、
前記読み込み手段により読み込まれた情報に基づき交換直前時期、または交換時期に達している部品があるか否かを判定する判定手段と、
前記判定手段による判定結果を報知する報知手段と、
を有することを特徴とする請求項１に記載の燃料供給装置。
【請求項３】
前記報知手段は、前記部品の交換時期、または交換直前時期が到達した場合には、当該燃料供給系統に対応する識別情報と共に、前記部品が前記交換直前時期、または交換時期が到達したたことを報知することを特徴とする請求項２に記載の燃料供給装置。
【請求項４】
前記報知手段は、前記部品の交換直前時期、または交換時期が到達した場合には、当該燃料供給系統に配された部品を識別するための文字または記号、及び当該部品の前記交換直前時期、または交換時期が到達したことを示す文字または記号を表示することを特徴とする請求項２または３に記載の燃料供給装置。
【発明の詳細な説明】
【技術分野】
【０００１】
本発明は燃料供給装置に係り、特に各燃料供給系統に配された部品の交換時期であることを報知するよう構成された燃料供給装置に関する。
【背景技術】
【０００２】
燃料の供給を行なう燃料供給装置においては、ノズル、ホース、ポンプ、流量計、電磁弁などの各部品の点検・修理などのメンテナンス作業を定期的に行なうと共に、各部品の耐久性に応じた使用量が決められており、交換時期に達する前に適宜部品交換作業を行なっている。
【０００３】
メンテナンス作業員あるいは燃料供給装置が設置された燃料供給所では、メンテナンスの時期、点検・修理の作業内容や交換部品などメンテナンスに関する情報を伝票に記載して管理している。この方法では、作業員が伝票にメンテナンスの時期、点検・修理の作業内容や交換部品などを記載しなければならず手間がかかっていた。
【０００４】
また、燃料供給装置のメモリに供給回数、ポンプ運転時間などのデータを記憶し、事務所に設置された管理コンピュータ（またはＰＯＳ端末機）などからのデータ要求により各データを送信する機能を有する燃料供給装置がある（例えば、特許文献１参照）。
【０００５】
特許文献１に記載された管理コンピュータ（またはＰＯＳ端末機）では、各燃料供給装置の各部品の点検・修理データ、部品交換時期等のメンテナンスに関する情報をまとめて読み込むことが可能であり、過去の各部品の点検・修理データ、部品交換時期等のメンテナンスに関する情報を読み込んでモニタで確認することができる。
【先行技術文献】
【特許文献】
【０００６】
【特許文献１】特開平２−２１９７９１号公報
【発明の概要】
【発明が解決しようとする課題】
【０００７】
上記特許文献１の燃料供給装置では、メンテナンスを行なう前に作業員が事務所内の管理コンピュータを操作して各燃料供給装置の各メンテナンスデータを読み出して過去の各部品の点検・修理データ、部品交換時期等のメンテナンスに関する情報を確認することになる。
【０００８】
ところが、各燃料供給所によって、各燃料供給装置及び各ノズルの番号の付け方が異なるので識別方法が異なるので、モニタに表示されたデータがどの燃料供給装置のどの燃料供給系統かを判別することが難しく、しかもメンテナンス作業員が事務所から各燃料供給装置の設置場所へ移動した際には、番号だけからどの燃料供給系統の部品を交換するのかを容易に判断することができず、各データと各燃料供給系統との関連性を確認できないまま作業を行なうことになり、点検箇所を間違える可能性が高い。
【０００９】
また、メンテナンス作業員に燃料供給装置の制御部に接続可能な端末装置を持たせることで、作業員自身が端末装置を操作して各燃料供給装置から直接データを読み込むことも考えられるが、端末装置の操作に余計な手間を要することになり、メンテナンス作業開始が遅れるという問題が生じる。
【００１０】
そこで、本発明は上記事情に鑑み、上記課題を解決した燃料供給装置を提供することを目的とする。
【課題を解決するための手段】
【００１１】
上記課題を解決するため、本発明は以下のような手段を有する。
（１）本発明は、ホースを介して燃料供給系統に連通されたノズルと、該ノズルを収納するノズル収納部とを有する燃料供給装置において、
前記燃料供給系統に配された各部品の使用量に応じた情報を記憶する記憶部と、
前記ノズルが前記ノズル収納部から外され、燃料供給を行なわずに前記ノズル収納部に戻されると、前記記憶部に記憶された情報を読み込み、当該部品の情報に基づき当該部品が交換直前時期、または交換時期が到来しているか否かを報知する制御手段と、を有することを特徴とする。
（２）本発明の前記制御手段は、
前記ノズルを前記ノズル収納部から外して戻す操作を行なった場合に、前記記憶手段より当該ノズルに対応する燃料供給系統に配された各部品の使用量に応じた情報を読み込む読み込み手段と、
前記読み込み手段により読み込まれた情報に基づき交換直前時期、または交換時期に達している部品があるか否かを判定する判定手段と、
前記判定手段による判定結果を報知する報知手段と、
を有することを特徴とする。
（３）本発明の前記報知手段は、前記部品の交換直前時期、または交換時期が到達した場合には、当該燃料供給系統に対応する識別情報と共に、前記部品が前記交換直前時期、または交換時期が到達したたことを報知することを特徴とする。
（４）本発明の前記報知手段は、前記部品の交換直前時期、または交換時期が到達した場合には、当該燃料供給系統に配された部品を識別するための文字または記号、及び当該部品の前記交換直前時期、または交換時期が到達したことを示す文字または記号を表示することを特徴とする。
【発明の効果】
【００１２】
本発明によれば、ノズルがノズル収納部から外され、燃料供給を行なわずにノズル収納部に戻されると、記憶部に記憶された情報を読み込み、当該部品の交換直前時期、または交換時期が到来しているか否かを報知するため、当該ノズルに対応する燃料供給系統の部品が交換直前時期、または交換時期に達したことをその場で確認することができ、交換直前時期、または交換時期に達した部品のみを点検し、修理・交換を行なうことができる。従って、複数の燃料供給装置が設置されていてもどの燃料供給装置の部品が交換直前時期または交換時期に達したのかを当該燃料供給装置毎に確認して確実に修理・交換作業を行なうことができる。
【図面の簡単な説明】
【００１３】
【図１】本発明による燃料供給装置の一実施例を示す斜視図である。
【図２】管理コンピュータと複数の燃料供給装置との接続を示すシステム系統図である。
【図３】燃料供給装置の各部の構成を示すブロック図である。
【図４Ａ】表示器を拡大して示す図である。
【図４Ｂ】表示器の各表示内容を示す図である。
【図４Ｃ】交換時期の表示例を示す図である。
【図５】交換時期情報記憶部を模式的に示す図である。
【図６】燃料供給装置のメイン制御処理を説明するためのフローチャートである。
【図７】燃料供給装置の交換時期報知処理１を説明するためのフローチャートである。
【図８】燃料供給装置の交換時期報知処理２を説明するためのフローチャートである。
【発明を実施するための形態】
【００１４】
以下、図面を参照して本発明を実施するための形態について説明する。
【実施例１】
【００１５】
図１は本発明による燃料供給装置の一実施例を示す斜視図である。図２は管理コンピュータと複数の燃料供給装置との接続を示すシステム系統図である。
【００１６】
図１及び図２に示されるように、燃料供給システム１０は、給液エリア１２に設置された複数の燃料供給装置１６と、事務所１８内に設置された管理コンピュータ２０とを有する。管理コンピュータ２０と複数の燃料供給装置１６（１６１〜１６ｎ）に搭載された制御回路との間は、ＳＳ−ＬＡＮ２２を介して双方向で通信可能に接続されている。
【００１７】
管理コンピュータ２０は、燃料供給所に設置された各機器を管理しており、一の燃料供給装置１６から供給許可要求信号が出力されると、係員が当該燃料供給装置１６の周囲の状態が異常ないことを確認して供給許可を出力するための許可釦を操作することにより供給許可信号を当該燃料供給装置１６へ送信する。
【００１８】
燃料供給装置１６は、セルフサービス給液方式の計量機２４と、計量機２４に搭載された設定器２６と、液種単価、供給量を表示する表示器２７とを有する。また、計量機２４は、筐体２８の前面及び背面に設定器２６が一体的に設けられており、さらにノズル３０が収納されるノズル収納部３２が設けられている。
【００１９】
本実施例では、計量機２４の片面に夫々３系統の供給系統が設けられており、例えば、軽油、ハイオクガソリン、レギュラーガソリンの３種類の燃料を選択的に供給することが可能な構成になっている。
【００２０】
また、各ノズル３０には、燃料が供給されるホース３４が接続されており、ホース３４は筐体２８の上部に設けられたホース支持部３５から吊下されている。
【００２１】
各ホース３４は筐体２８の内部に配置された燃料供給管路（図示せず）に連通されており、各燃料供給管路には流量計、電磁弁、ポンプなどの機器が設けられている。
【００２２】
図３は燃料供給装置の各機器の構成を示すブロック図である。図３に示されるように、燃料供給装置１６の制御回路３６には、設定器２６、各燃料供給系路に設けられた電磁弁３８、ポンプ４０、流量計４２、メモリ４４、人検出センサ４６、インタホン４８、ノズル収納部３２に設けられたノズルスイッチ５０、静電気除去検出スイッチ５４、伝票を発行する伝票発行機５８、音声案内を行うスピーカ６０と接続されている。
【００２３】
さらに、制御回路３６には、液種選択釦６４〜６６、満タン選択釦６８、プリセット給液量選択釦７０〜７３、プリセット給液金額量選択釦７６〜７９が接続されている。
【００２４】
そして、制御回路３６は、操作者の入力操作に応じて次に行う操作に対応する釦のランプを点灯または点滅させると共に、スピーカ６０から操作手順を案内する音声案内を発声させる。
【００２５】
また、メモリ４４には、各種データと制御回路３６が実行する制御プログラムが格納されており、例えば、ノズルスイッチ５０によってノズル収納部３２からノズル３０が外されたことが検出された後、燃料を供給せず流量を計測していないまま、ノズル収納部３２にノズル３０が戻されたことがノズルスイッチ５０により検出された場合には、当該燃料供給装置１６の各部品の使用量が交換直前時期または交換時期に到達したか否かの判定を行なう制御プログラム（判定手段）と、判定結果を報知する制御プログラム（報知手段）が格納されている。
【００２６】
図４Ａは表示器を拡大して示す図である。図４Ａに示されるように、表示器２７は液晶表示器からなり、６桁の数値又は文字（アルファベット）を表示する表示領域２７ａ〜２７ｆを有する。また、３桁目の表示領域２７ｃの下部には、三角形状の表示領域２７ｇが設けられている。表示領域２７ａ〜２７ｆは、燃料供給時には、流量計４２により計測された流量計測値を表示する。
【００２７】
また、表示器２７は、ノズル３０がノズル収納部３２に戻されてノズルスイッチ５０がオンになって燃料供給が終了すると、終了時点の供給量の数値を表示し、且つ表示を保持しており、次の燃料供給開始時にノズル３０がノズル収納部３２から外されてノズルスイッチ５０がオフになってポンプ４０が起動されると共に、前回の燃料供給による数値がゼロリセットされる。
【００２８】
本実施例では、燃料供給時は、表示器２７に流量計４２により計測された流量計測値を表示させ、燃料供給を行なわないときには、表示器２７に各ノズル３０に対応する燃料供給系統の部品に関する点検情報や部品交換情報等のデータを表示する。
【００２９】
ここで、表示器２７において、当該燃料供給系統の部品の点検・交換情報を報知するための表示例について説明する。本実施例では、ノズルスイッチ５０によってノズル収納部３２からノズル３０が外されたことが検出された後、燃料を供給せずに、ノズル３０がノズル収納部３２に収納されたことがノズルスイッチ５０により検出された場合には、表示器２７に当該燃料供給系統の部品の点検・交換情報を報知することが可能になる。
【００３０】
図４Ｂは表示器の各表示内容を示す図である。図４Ｂに示されるように、表示部２７の表示領域２７ａ、２７ｂは、１１番のノズル３０がノズル収納部３２から外され、そのまま供給操作せずにノズル収納部３２に戻された場合に識別情報としてのノズル番号「１１」を表示する。このノズル番号は、複数の燃料供給装置１６１〜１６ｎに設けられた各燃料供給系統に付された通し番号である。
【００３１】
例えば、燃料供給装置１６が４台設置されている場合には、各燃料供給装置１６に６個のノズル３０が設けられているので、ノズル番号としては、１〜２４の番号表示が可能となるように設定される。従って、７番の燃料供給系統のノズル３０が操作された場合には、ノズル番号「７」を表示する。
【００３２】
また、表示部２７の表示領域２７ｃは、横棒（ハイフォン）を表示する。表示部２７の表示領域２７ｄは、ノズル交換時期が近い交換直前時期或いは交換時期であることを示す「ｎ」を表示する。表示部２７の表示領域２７ｅは、横棒（ハイフォン）を表示する。表示部２７の表示領域２７ｆは、ホース交換時期が近い交換直前時期或いは交換時期であることを示す「ｈ」を表示する。表示部２７の表示領域２７ｇは、部品交換時期が近い交換直前時期或いは交換時期であることを示す記号（例えば、黒三角マーク）を表示する。
【００３３】
尚、交換時期は、各部品毎に予め決められており、各部品の使用量が交換時期の交換判定値、あるいは各部品の使用量が交換判定値の所定前の値に達したとき、交換時期或いは交換時期に近い交換直前時期であることを表示領域２７ｇの記号（黒三角マーク）で報知する。また、各部品の交換判定値は、メモリ４４に予め記憶されている。この交換判定値としては、例えば、ノズル３０の場合は総使用量が２５００キロリットルに達したとき、ホース３４の場合は、油種がガソリンの場合の総使用量が１５００キロリットルに達したとき、また油種が軽油や灯油の場合の総使用量が２５００キロリットルに達したときを交換時期であると判断している。
【００３４】
図４Ｃは交換時期の表示例を示す図である。図４Ｃに示されるように、例えば、部品交換時期に全く到達していないときは、表示部２７は「１１−０−０」を表示する。従って、操作者（燃料供給所の係員またはメンテナンス作業員）は、ノズル番号１１のノズル３０をノズル収納部３２から外して、燃料供給せずにノズル収納部３２に戻した場合に、当該ノズル番号１１のノズル３０の燃料供給系統に設けられた部品で交換時期に達しているものが無いことが分かる。
【００３５】
また、ノズル３０のみ交換時期に近づいているときは、表示部２７は「１１−ｎ−０」を表示する。従って、操作者は、ノズル番号１１のノズル３０をノズル収納部３２から外して、燃料供給せずにノズル収納部３２に戻した場合に、当該ノズル番号１１のノズル３０が交換直前時期或いは交換時期であることが分かる。
【００３６】
また、ホース３４のみ交換時期に近づいているときは、表示部２７は「１１−０−ｈ」を表示する。従って、操作者は、ノズル番号１１のノズル３０をノズル収納部３２から外して、燃料供給せずにノズル収納部３２に戻した場合に、当該ノズル番号１１のホース３４が交換直前時期或いは交換時期であることが分かる。
【００３７】
また、ノズル３０及びホース３４の交換直前時期或いは交換時期であるときは、表示部２７は「１１−ｎ−ｈ」を表示する。従って、操作者は、ノズル番号１１のノズル３０をノズル収納部３２から外して、燃料供給せずにノズル収納部３２に戻した場合に、当該ノズル番号１１のノズル３０及びホース３４が交換直前時期或いは交換時期であることが分かる。
【００３８】
本実施例では、上記表示器２７の表示される数値、文字、記号の組合せによってノズル３０、ホース３４の交換時期が近づいていることを報知する場合の表示例を示しているが、表示方法としては、これに限らず、例えば、液晶モニタに文字情報を表示しても良いし、あるいは上記表示器２７の表示と共に、スピーカ６０から音声メッセージを出力してズル３０、ホース３４の交換時期が近づいていることを報知する方法を用いても良い。
【００３９】
図５は交換時期情報記憶部を模式的に示す図である。図５に示されるように、交換時期情報記憶部１００は、メモリ４４に格納されており、各燃料供給装置１６１〜１６ｎ毎に分類され、各燃料供給系統の番号１〜ｎの順番に液種、ノズル総使用量（積算供給量）、ホース総使用量（積算供給量）、ノズル交換時期、ホース交換時期などのデータが記憶されている。
【００４０】
尚、本実施例において、例えば、ノズル交換時期は、液種に拘わらず総使用量が２５００キロリットルの交換判定値に達したとき、ホース交換時期はガソリンの場合の総使用量が１５００キロリットルの交換判定値に達したとき、または軽油、灯油の場合の総使用量が２５００キロリットルの交換判定値に達したときを交換時期とする。これらの総使用量による交換時期の設定は、ノズル３０及びホース３４の耐久性に応じて設定されるものであり、ノズル３０及びホース３４の耐久性が改善された場合には、上記交換判定値の数値も適宜変更される。
【００４１】
例えば、図５において、燃料供給系統が１番、４番以降のノズル３０及びホース３４は、共に交換直前時期及び交換時期に達していない。燃料供給系統が２番のノズル３０は、交換時期の所定時期手前の交換直前時期に達しており、ホース３４は交換時期に達していることが分かる。また、燃料供給系統が３番のノズル３０及びホース３４は交換時期に達していることが分かる。
【００４２】
ここで、燃料供給装置１６の制御回路３６が実行する制御処理について説明する。図６は燃料供給装置のメイン制御処理を説明するためのフローチャートである。
【００４３】
図６に示されるように、Ｓ１１でノズルスイッチ５０からの検出信号を読み込み、ノズル３０がノズル収納部３２から外されたか否かをチェックする。Ｓ１１において、ノズルスイッチ５０からの検出信号がオフの場合（ＹＥＳの場合）は、ノズル３０がノズル収納部３２から外されたものと判断してＳ１２に進む。次のＳ１２では、表示器２７に表示されている前回の供給量の表示をゼロリセットする。
【００４４】
続いて、Ｓ１３に進み、管理コンピュータ２０に対して供給許可要求信号を出力する。次のＳ１４では、管理コンピュータ２０から供給許可信号が入力されたか否かをチェックする。Ｓ１４において、管理コンピュータ２０から供給許可信号が入力されていない場合（ＮＯの場合）は、Ｓ１５に進み、ノズルスイッチ５０からの検出信号を読み込み、ノズル３０がノズル収納部３２に収納状態に戻されたか否かをチェックする。Ｓ１５において、ノズルスイッチ５０からの検出信号がオフの場合（ＮＯの場合）は、ノズル３０がノズル収納部３２に戻されていないものと判断してＳ１４に戻り、Ｓ１４、Ｓ１５の処理を繰り返す。
【００４５】
また、Ｓ１４において、管理コンピュータ２０から供給許可信号が入力された場合（ＹＥＳの場合）は、Ｓ１６に進み、ポンプ４０を駆動させると共に、電磁弁３８を開弁させる。続いてＳ１７に進み、ノズル３０から車両の燃料タンクに供給された供給量（給油量）を流量計４２により計測し、流量計４２により計測された供給量を積算する。さらに、Ｓ１８では、表示器２７に積算された供給量を表示させる。
【００４６】
次のＳ１９では、ノズルスイッチ５０からの検出信号を読み込み、ノズル３０がノズル収納部３２に収納状態に戻されたか否かをチェックする。Ｓ１９において、ノズルスイッチ５０からの検出信号がオフの場合（ＮＯの場合）は、上記Ｓ１７に戻り、Ｓ１７〜Ｓ１９の処理を繰り返すことにより、ノズル３０からの燃料供給が継続されると共に、表示器２７に表示される供給量の数値が更新される。
【００４７】
また、Ｓ１９において、ノズルスイッチ５０からの検出信号がオンの場合（ＹＥＳの場合）は、ノズル３０がノズル収納部３２に収納状態に戻されて燃料供給が終了したものと判断してＳ２０に進み、ポンプ４０の駆動を停止させると共に、電磁弁３８を閉弁させる。続いて、Ｓ２１では、流量計４２に計測される流量がゼロ以上か否かをチェックする。
【００４８】
Ｓ２１において、流量計４２に計測される流量がゼロ以上の場合（ＹＥＳの場合）は、Ｓ２２に進み、当該ノズル３０に対応する今回の使用量（供給量）を交換時期情報記憶部１００の総使用量に合算し、この合算した新たな総使用量を交換時期情報記憶部１００に更新記憶させる。
【００４９】
続いて、Ｓ２３では、当該ノズル３０に接続されたホース３４に対応する総使用量に今回の使用量（供給量）を合算し、この合算した新たな総使用量を交換時期情報記憶部１００に更新記憶させる。
【００５０】
上記Ｓ１５において、ノズルスイッチ５０からの検出信号がオンの場合（ＹＥＳの場合）は、ノズル３０がノズル収納部３２に戻されたものと判断してＳ２４に進む。また、Ｓ２１において、流量計４２に計測される流量がゼロ以上ではない場合（ＮＯの場合）は、燃料供給が行なわれていないので、Ｓ２４に進む。
【００５１】
このように、ノズル３０がノズル収納部３２から外され、燃料供給を行なわずにノズル３０がノズル収納部３２に戻された場合には、Ｓ２４で交換時期報知処理２へ移行する。尚、Ｓ２４の交換時期報知処理２の説明は、後述する。
【００５２】
ここで、上記図６の制御処理と並行して所定時間毎に実行される交換時期報知処理１の制御処理について説明する。図７は燃料供給装置の交換時期報知処理１を説明するためのフローチャートである。
【００５３】
図７に示されるように、Ｓ３１では、交換時期情報記憶部１００に記憶された各情報を読み込み、読み込んだ情報の中に交換時期の所定時期手前の交換直前時期に達したノズル３０またはホース３４があるか否かをチェックする。
【００５４】
Ｓ３１において、交換時期の所定時期手前の交換直前時期に達したノズル３０またはホース３４がある場合（ＹＥＳの場合）は、Ｓ３２に進み、交換時期報知ランプとしての表示領域２７ｇの記号（黒三角マーク、図４Ａ参照）を点滅（消灯と点灯とを交互に行なう間欠的な点灯）させて報知する（報知手段）。これにより、作業員は、ノズル３０またはホース３４が交換直前時期に達したことを認識することが可能になる。
【００５５】
続いて、Ｓ３３では、該当するノズル３０、ホース３４を当該ノズル３０に対応付けて交換直前の時期到来をメモリ４４に記憶させる。
【００５６】
また、上記Ｓ３１において、交換時期の所定時期手前の時期に達したノズル３０またはホース３４がない場合（ＮＯの場合）は、Ｓ３２、Ｓ３３の処理を省略してＳ３４に進む。
【００５７】
Ｓ３４では、交換時期に達したノズル３０またはホース３４があるか否かをチェックする。Ｓ３４において、交換時期に達したノズル３０またはホース３４がある場合（ＹＥＳの場合）は、Ｓ３５に進み、交換時期報知ランプとしての表示領域２７ｇの記号（黒三角マーク、図４Ａ参照）を点灯（所定時間連続）させて報知する（報知手段）。これにより、作業員は、ノズル３０またはホース３４が交換時期に達したことを認識することが可能になる。
【００５８】
次のＳ３６では、該当するノズル３０、ホース３４を当該ノズル３０に対応付けて交換時期到来をメモリ４４に記憶させ、今回の処理を終了する。また、上記Ｓ３４において、交換時期に達したノズル３０またはホース３４がない場合（ＮＯの場合）は、Ｓ３５、Ｓ３６の処理を省略して今回の処理を終了する。
【００５９】
このように、制御回路３６は、所定時間毎に上記Ｓ３１〜Ｓ３６の処理を実行し、交換時期の所定時期手前の交換直前時期に達したノズル３０またはホース３４があるか否か、あるいは交換時期に達したノズル３０またはホース３４があるか否かを確認しており、該当するノズル３０またはホース３４がある場合には、表示器２７に表示することでノズル３０の操作を行なった作業員に報知することができる。そのため、作業員は、手に持った当該ノズル３０またはホース３４が交換直前時期または交換時期に達したか否かをその場で確認することができ、表示器２７の表示がどの燃料供給系統についての表示なのかを間違えることが防止され、確実に点検・修理及び部品交換を行なうことができる。
【００６０】
ここで、上記Ｓ２４の交換時期報知処理２について説明する。
【００６１】
図８は燃料供給装置の交換時期報知処理２を説明するためのフローチャートである。図８に示されるように、Ｓ４１では、ノズルスイッチ５０がオン・オフ・オンされた当該ノズル３０に対応するホース３４についての交換時期情報を交換時期情報記憶部１００から読み込む（使用量読み込み手段）。次のＳ４２では、交換直前時期（図５の△印）、或いは交換時期到来（図５の×印）が記憶されているか否かを判定する（判定手段）。Ｓ４２において、交換直前時期、或いは交換時期到来が記憶されている場合（ＹＥＳの場合）は、Ｓ４３に進み、当該ノズル３０のノズル番号を表示器２７の表示領域２７ａ、２７ｂに表示する（図４Ｂ参照）。
【００６２】
次のＳ４４では、当該ノズル番号に対応するノズル３０の交換時期情報を表示器２７の表示領域２７ｄに表示して報知する（報知手段）。当該ノズル３０の交換時期情報が交換直前時期到来、或いは交換時期到来ではない○印の場合には、表示器２７の表示領域２７ｄに「０」を表示し、当該ノズル３０の交換時期情報が×印の場合には、表示器２７の表示領域２７ｄに「ｎ」を表示する（図４Ｂ、図４Ｃ参照）。
【００６３】
次のＳ４５では、当該ノズル番号に対応するノズル３０に接続されたホース３４の交換時期情報を表示器２７の表示領域２７ｆに表示して報知する（報知手段）。当該ノズル３０に接続されたホース３４の交換直前時期情報が交換時期到来、或いは交換時期到来ではない○印の場合には、表示器２７の表示領域２７ｆに「０」を表示し、当該ホース３４の交換時期情報が交換時期到来、或いは交換時期到来の場合には、表示器２７の表示領域２７ｆに「ｈ」を表示する（図４Ｂ、図４Ｃ参照）。
【００６４】
次のＳ４６では、予め設定された所定時間（例えば、５秒）が経過したか否かをチェックする。Ｓ４６において、所定時間が経過するまで表示器２７の表示が継続されており、所定時間が経過されると、Ｓ４７に進み、表示器２７に流量計４０により計測された流量計測値の積算値を表示させるように表示内容を切り替える。
【００６５】
また、上記Ｓ４２において、交換直前時期、或いは交換時期到来が記憶されていない場合は、上記Ｓ４３〜Ｓ４７の制御処理を省略して今回の処理を終了する。
【００６６】
このように、交換直前時期、或いは交換時期の到来が記憶されている場合は、表示器２７にノズル番号と共に、ノズル、ホースの交換直前時期、或いは交換時期の到来の有無を表示して作業員に報知することができる。そのため、作業員は、ノズルスイッチ５０がオン・オフ・オンされた当該ノズル３０、あるいは当該ノズル３０に接続されたホース３４に対応する交換直前時期、或いは交換時期の到来の有無が表示器２７の表示によって確認することが可能になり、表示器２７の表示がどの燃料供給系統についての表示なのかを間違えることが防止され、確実に点検・修理及び部品交換を行なうことができる。
【産業上の利用可能性】
【００６７】
上記実施例では、ノズルとホースの使用量が交換時期に達したことを報知する場合を一例として説明したが、これに限らず、ノズル、ホース以外の部品（例えば、流量計、電磁弁、ポンプ、表示器など）についても交換時期が到来した時点で報知することも可能である。
【００６８】
また、上記実施例では、ノズル（或いはホース）に流れた燃料の積算流量が予め定められた積算流量に達した場合にノズル（或いはホース）の使用量が交換時期に達したと判断するように構成されているが、本発明におけるノズル（或いはホース）の使用量が交換時期に達したことの判断は、上述のような判断に限られるものではなく、例えばノズル（或いはホース）の使用が開始されてからの経過時間が予め定められた経過時間に達した場合にノズル（或いはホース）の使用量が交換時期に達したと判断してもよく、また、ノズル（或いはホース）による燃料供給の回数が予め定められた回数に達した場合にノズル（或いはホース）の使用量が交換時期に達したと判断しても良いのは勿論である。
【００６９】
また、上記実施例では、ノズル３０がノズル収納部３２から外され、燃料供給を行なわずにノズル３０がノズル収納部３２に戻された場合に、交換時期情報記憶部１００に記憶された各情報を読み込み、読み込んだ情報の中に交換時期の所定時期手前の交換直前時期に達したノズル３０またはホース３４があるか否かを判定しているが、これに限らず、ノズル３０がノズル収納部３２から外され、燃料供給を行なわずにノズル３０がノズル収納部３２に戻された際にその都度、ノズル３０またはホース３４の交換時期が所定時期手前の交換直前時期に達したか否かを判定するようにしても良いのは勿論である。
【符号の説明】
【００７０】
１０  燃料供給システム
１２  給液エリア
１６（１６１〜１６ｎ）  燃料供給装置
１８  事務所
２０  管理コンピュータ
２２  ＳＳ−ＬＡＮ
２４  計量機
２６  設定器
２７  表示器
２７ａ〜２７ｇ  表示領域
３０  ノズル
３２  ノズル収納部
３４  ホース
３５  ホース支持部
３６  制御回路
３８  電磁弁
４０  ポンプ
４２  流量計
４４  メモリ
５０  ノズルスイッチ
５８  伝票発行機
６０  スピーカ
６４〜６６  液種選択釦
６８  満タン選択釦
７０〜７３  プリセット給液量選択釦
７６〜７９  プリセット給液金額設定釦
１００  交換時期情報記憶部
【図１】
0005431847.tif 000002
【図２】
0005431847.tif 000003
【図３】
0005431847.tif 000004
【図４Ａ】
0005431847.tif 000005
【図４Ｂ】
0005431847.tif 000006
【図４Ｃ】
0005431847.tif 000007
【図５】
0005431847.tif 000008
【図６】
0005431847.tif 000009
【図７】
0005431847.tif 000010
【図８】
0005431847.tif 000011